(57)【要約】
【課　　題】　容易に解きほぐすことができ、着色された摘みによって識別が容易であり、両手で把持して頚部に展着し易く、実用性に優れた化粧用シートの提供。
【解決手段】　水に含浸することによって塊状体からシート状に回復し、身体の所定の部位を覆う形状に成形されてなる化粧用シートにおいて、少なくとも２つの摘みが塊状体の外方に突出し、そのうちの少なくとも一つが着色されてなることを特徴とする化粧用シート。
【選択図面】　図１
【実用新案登録請求の範囲】
【請求項１】
使用時に水に含浸することによって塊状体からシート状に回復し、身体の所定の部位を覆う形状に成形されてなる化粧用シートにおいて、少なくとも２つの摘みが塊状体の外方に突出し、そのうちの少なくとも一つが着色されてなることを特徴とする化粧用シート。
【請求項２】
前記少なくとも２つの摘みが、互いに異なる色に着色されてなることを特徴とする請求項１に記載の化粧用シート。
【請求項３】
前記少なくとも２つの摘みが、塊状体の外方に延出してなることを特徴とする請求項１又は２に記載の化粧用シート。
【請求項４】
前記化粧用シートが、顔面を覆うフェイスマスク、頚部を覆うネックマスク、顔面と頚部をともに覆うマスク、背中又は胸部用ケアシートから選ばれたものであることを特徴とする請求項１〜４のいずれかの化粧用シート。
【考案の詳細な説明】
【技術分野】
【０００１】
　本考案は、化粧用シートに関する。
　また、本考案は、少なくとも２つの摘みを有し、身体の所定の部位を覆う形状に成形された後、折り畳み後、圧縮されて塊状体を呈し、水含浸によってシート状となる化粧用シートであって、少なくとも１つの摘みが着色されてなる化粧用シートに関する。
【背景技術】
【０００２】
　従来、圧縮タイプの化粧用シートは、基本的には折り畳んだ後、円柱状に巻き、塊状体に圧縮し、収納されて製品とされている。
　これらの化粧用シートは、化粧液を含浸した後、手で展開してシート形状とし、所定の部位に適用するものであるが、実際的には化粧液の粘度が高いと、べたついて展開が著しく困難なものであった。
　　そこで塊状体からの展開に関する改良が提案されており、例えば、展開の際に指で摘む周縁部を識別しやすくするために、周縁部のみを着色することが特許第２880141号公報（特許文献1）に、逆に周縁部を除く部分を着色することが特開２000-２3741号公報（特許文献２）に提案されている。しかし、美容成分を含有する化粧液は粘度が高く、べとつくので、使用時に周縁部を摘みだし、スムーズにシート状に展開することは実用上煩わしく、手数のかかることであった。
【０００３】
　また、折り畳むときに対称線をずらして折り曲げ、周縁部の重なりを回避する方法が特許第２6407２1号公報（特許文献3）に提案されている。しかし、重なり部分の面積が大きいために化粧液の粘度が高いと、上記同様に展開性が悪かった。
　別の方法として、特開２000-3２5143号公報（特許文献4）には摘みを形成した化粧用シートをコイン型に圧縮する方法について記載されている。しかし、摘みを判別しにくく展開作業がやりずらかった。
【特許文献１】特許第２880141号公報
【特許文献２】特開第２000-２3741号公報
【特許文献３】特許第２6407２1号公報
【特許文献４】特開２000-3２5143号公報
【考案の開示】
【考案が解決しようとする課題】
【０００４】
　本考案は、上記した従来の問題点に鑑み、使用時において、摘みを容易に認識できるとともに、これを摘んで引っ張りやすくすることにより、高粘度の化粧液を含浸させても展開性が良好で、身体の各部位に当て易くする機能を具備した化粧用シートを提供することを課題とする。　　
【課題を解決するための手段】
【０００５】
　すなわち、本考案は以下の構成を基本とするものである。
（１）使用時に水に含浸することによって塊状体からシート状に回復し、身体の所定の部位を覆う形状に成形されてなる化粧用シートにおいて、少なくとも２つの摘みが塊状体の外方に突出し、そのうちの少なくとも一つが着色されてなることを特徴とする化粧用シート。
（２）前記少なくとも２つの摘みが、互いに異なる色に着色されてなるることを特徴とする（１）に記載の化粧用シート。
（３）前記少なくとも２つの摘みが、塊状体の外方に延出してなることを特徴とする（１）又は（２）に記載の化粧用シート。
（４）前記化粧用シートが、顔面を覆うフェイスマスク、頚部を覆うネックマスク、顔面と頚部をともに覆うマスク、背中又は胸部用ケアシートから選ばれたものであることを特徴とする（１）〜（３）のいずれかの化粧用シート。
【考案の効果】
【０００６】
　本考案の圧縮タイプの化粧用シートによれば、外方に突出する摘みをすくなくとも２つ有し、そのうちの少なくとも１つが着色されているので、摘みと他の部分との識別が簡単に出来る。
　本考案の圧縮タイプの化粧用シートでは、塊状体の外側に少なくとも２つの摘みが突出し、しかも少なくとも１つが着色されているので、摘みを引っ張れば展開が容易で、ハンドリングしやすく、両手で展開して把持が容易となる。また、高粘度の化粧液を使用する場合であっても所望の部位への展着作業がやりやすくなる。
　少なくとも２つの摘みの色は、カラフルな色の組み合わせにより、ファッション感覚を楽しめる効果もある。
【考案を実施するための最良の形態】
【０００７】
　本考案の好ましい実施の形態について、以下に説明する。
　本考案の化粧用シートに使用するシート基材は、水性の化粧液を含浸することによりシート形状回復性を有する繊維シートからなる。繊維素材としては、使用前には圧縮されてコンパクトな塊状を呈していても、水分を吸収すると、速やかに塊状体が解きほぐれて圧縮前の原形状であるシート形状に回復するものを使用する。
　このような性質を有するシート基材は、特に限定されるものではないが吸液性付与の点でコットン、レーヨンなどのセルロース質の繊維からなる紙、不織布を好ましく使用できる。かかる紙、不織布を構成する繊維素材として形状記憶性を有する繊維を併用することもできる。
　シート基材に含ませる化粧用液体は、高粘度の化粧水やローションなど目的に応じて種々使用することが可能である。
【０００８】
　本考案の化粧用シートは、身体の所定の部位を覆う形状に成形される。例えば、顔面を覆うフェイスマスク、頚部を覆うネックマスク、顔面と頚部をともに覆うマスク、背中又は胸部用ケアシートなど目的に応じた形状に成形される。
　該成形シートは、耳上又はコブ状に外方に突出する摘みを少なくとも２つ有するものであるが、摘みが１つでは両手での把持に適さないからである。摘みは両手でハンドリングしやすい位置に設ければよい。成形シートの対称線を挟んでほぼ対抗する位置に設けられることが好ましい。該摘みの形状は特に限定されず、指で摘めるものであればよい。デザイン性を考えて任意の形状に設定すればよい。
　摘みを設けられた成形シートは、２つ折り、４つ折りの他、Ｚ字折り、Ｃ字折りなどを組み合わせ、６つ折りなどに畳まれる。しかる後、円柱状、筒状などに丸められ、圧縮されて塊状体を形成する。塊状体の形態は、コイン型のほか、四角柱状、六角柱状など任意の形態が可能である。
【０００９】
　前記摘みは、２つ以上あれば、幾つでもよいが、実際的には２つあれば最低限の摘みの機能は達成できる。また、摘みは、形成される塊状体の外方に延出させる場合とさせない場合がある。前者の方が摘みを探す手間が省けるので好ましい。塊状体の外方に延出させる場合、その位置は特に限定されるものではなく、例えば上面、底面、側面に延出させることが好ましい。
　本考案の化粧用シートにおいて、摘みは少なくとも１つが着色されていることが必要である。一つが着色され、他の一つが無着色であってもよいし、少なくとも２つの罪が同色に着色されていてもよい。
　好ましくは、少なくとも２つの摘みが互いに異なる色に着色されていると摘みの位置、及び左右の識別が容易となるので都合がよい。
　　　　摘みの色彩は限定されるものではない。ファッション性、消費者の嗜好に合わせ、適宜設計できる。染色、印刷、捺染などの種々の方法によって化粧液で色落ちのないよう着色できる。
【００１０】
　図面を用いて本考案の化粧用シートを説明する。
　図１は、本考案の化粧用シートがフェイスマスクの例を示すもので、折り畳み及び圧縮の工程を示す概念図である。図２〜図３は、図１の他例を、図４は頸部マスクを示す。
　　なお、図中、１は摘み、２は化粧用シート（フェイスマスク又は頸部マスク）、３は折畳み線を示す。
【実施例１】
【００１１】
　　以下、実施例によってさらに詳しく本考案を説明する。
　化粧用シートとして左右に摘みが形成されているフェイスマスク（図１）を打ち抜き成形した。成形後、左側の摘みをピンク色、右側の摘みを水色に着色した。
　この着色フェイスマスクを横方向にＺ字状に３つに折り畳んだ後、縦方向に小さく巻き込み筒状物を得た（図１中、矢印は折畳み工程を示す）。
　得られた筒状物をシリンダー型の圧縮成型機に投入し、プレスして（図１では左右方向）コイン形状の塊状フェイスマスクを得た。コイン形状の左右面に着色された摘みがそれぞれ外方に延出しているので、識別が容易であり、併せてファッション感覚も楽しめた。
【００１２】
　次に、このフェイスマスクを水性化粧液に含浸したところ、速やかに円筒形状まで復帰した。さらに、３つ折りの形状まで容易に解きほぐせた。この後、両側の摘みは着色されているので（ピンク色、水色）識別が容易であり、両手で把持して顔面に展着し易く、実用性に優れていた。
【実施例２】
【００１３】
　同じく化粧用シートとしてフェイスマスクを打ち抜き成形した。成形後、左側の摘みのみピンク色に着色した（図２）。
　この着色フェイスマスクを横方向に２つに折り畳んだ後、縦方向に小さく巻き込み筒状物を得た（矢印は、折畳み工程を示す）。
　得られた筒状物をシリンダー型の圧縮成型機に投入し、プレスして（図２では左右方向）コイン形状の塊状フェイスマスクを得た。コイン形状の左面にピンクに着色された摘みと白色（未着色）の摘みが左側のほぼ同位置に外方に延出しているので識別が容易であり、併せてファッション感覚も楽しめた。
【００１４】
　次に、このフェイスマスクを水性化粧液に含浸したところ、速やかに円筒形状まで復帰した。さらに、３つ折りの形状まで容易に解きほぐせた。この後、両側の摘みは着色されているので（ピンク色、水色）識別が容易であり、両手で把持して顔面に展着し易く実用性に優れていた。
【実施例３】
【００１５】
　同じく化粧用シートとしてフェイスマスクを打ち抜き成形した。成形後、左側の摘みのみピンク色に着色した（図３）。
　この着色フェイスマスクを横方向に２つに折り畳んだ後、横方向に小さく巻き込み筒状物を得た（矢印は、その折畳み工程を示す）。
　得られた筒状物をシリンダー型の圧縮成型機に投入し、プレスして（図３では上下方向）コイン形状の塊状フェイスマスクを得た。コイン形状の側面にピンクに着色された少なくとも２つの摘みがほぼ同位置に外方に延出しているので、識別が容易であり、併せてファッション感覚も楽しめた。
【００１６】
　次に、このフェイスマスクを化粧用ローションに含浸したところ、速やかに円筒形状まで復帰した。さらに、２つ折りの形状まで容易に解きほぐせた。この後、両摘みは着色されているので識別が容易であり、両手で把持して顔面に展着し易く実用性に優れていた。
【実施例４】
【００１７】
　化粧用シートとして左右に摘みが形成されている頚部用マスクを打ち抜き成形した（図４）。成形後、左側及び右側の摘みのみピンク色に着色した。
　この着色フェイスマスクを横方向に２つに折り畳んだ後、横方向に小さく巻き込み筒状物を得た（矢印は、折畳み工程を示す）
　得られた筒状物をシリンダー型の圧縮成型機に投入し、プレスして（図４では上下方向）コイン形状の塊状フェイスマスクを得た。コイン形状の側面にピンクに着色された少なくとも２つの摘みがほぼ同位置に外方に延出しているので識別が容易であり、併せてファッション感覚も楽しめた。
【００１８】
　次に、このフェイスマスクを化粧用ローションに含浸したところ、速やかに円筒形状まで復帰した。さらに、２つ折りの形状まで容易に解きほぐせた。この後、両摘みは着色されているので識別が容易であり、両手で把持して頚部に展着し易く実用性に優れていた。
【図面の簡単な説明】
【００１９】
【図１】本考案の化粧用シート（フェイスマスク）の折り畳み及び圧縮の工程を示す概念図である。
【図２】本考案の化粧用シート（フェイスマスク）の折り畳み及び圧縮の工程の別な態様を示す概念図である。
【図３】本考案の化粧用シート（フェイスマスク）の折り畳み及び圧縮の工程の別な態様を示す概念図である。
【図４】本考案の化粧用シート（頚部マスク）の折り畳み及び圧縮の工程を示す概念図である。
【符号の説明】
【００２０】
１　摘み
２　化粧用シート
３　折畳み線
【図１】
0003100054.tif 000002
【図２】
0003100054.tif 000003
【図３】
0003100054.tif 000004
【図４】
0003100054.tif 000005